(57)【要約】【課題】泥棒が室内に侵入するためにバールなどの工具を使ってルーバーを破壊しようとする時、そのルーバーが簡単容易に破壊することがなく、防犯性能を高め得る可動ルーバー面格子を提供する。【解決手段】面格子周枠４内に多数のルーバー５を開閉可能に配設してなる可動ルーバー面格子において、各ルーバー５にルーバー５よりも長さの長い金属製補強軸体９をルーバー５の回転軸線Ｇに沿って一体回転可能に貫通させ、この補強軸体９の両端部９ａ，９ａを、面格子周枠４の内周側部材４ａに設けた軸孔１０から夫々突出させると共に、軸受部材１１を介して軸孔１０に回転可能に軸支し、その軸孔１０から突出した補強軸体９の突出端部にクランクアーム１２を取り付け、各クランクアーム１２を連杆１４によって枢支連結する。【選択図】図５
2009046868.tif 000002
【特許請求の範囲】
【請求項１】
面格子周枠内に夫々中空状の横長又は縦長の多数のルーバーを連動開閉可能に配設してなる可動ルーバー面格子において、
各ルーバーにルーバーよりも長さの長い金属製補強軸体をルーバーの回転軸線に沿って一体回転可能に貫通させ、この補強軸体の両端部を、面格子周枠の内周側部材に設けた軸孔から夫々突出させると共に、軸受部材を介して軸孔に回転可能に軸支し、その軸孔から突出した補強軸体の突出端部にクランクアームを取り付け、各クランクアームを連杆によって枢支連結してなることを特徴とする可動ルーバー面格子。
【請求項２】
補強軸体は中空状体又は中実状体からなることを特徴とする請求項１に記載の可動ルーバー面格子。
【請求項３】
補強軸体は横断面が角形状又は円形状を成していることを特徴とする請求項１又は２に記載の可動ルーバー面格子。
【発明の詳細な説明】
【技術分野】
【０００１】
本発明は、ルーバーが開閉自在な可動ルーバー面格子に関する。
【背景技術】
【０００２】
従来の可動ルーバー面格子として、例えば特許文献１に記載されたようなものがある。この可動ルーバー面格子は、面格子周枠内に横長の多数のルーバーを連動開閉可能に配設してなるもので、この特許文献１の図８に示されるように、各ルーバーの両端には夫々、基端部側に支軸部を突設し且つその先端部側に支軸部より径小の角軸部を同軸一体に形成した合成樹脂製の端部ブラケットを取り付け、各端部ブラケットの支軸部を、面格子周枠の内周側部材に設けた軸孔に回転自在に支持させ、この支軸分と同軸一体の角軸部にクランクアームを取り付け、各クランクアームを連杆によって枢支連結し、それにより多数のルーバーを連動開閉するようにしている。
【特許文献１】特開２００１−１５２７５９号公報
【発明の開示】
【発明が解決しようとする課題】
【０００３】
上記のような可動ルーバー面格子では、各ルーバーの端部に取り付けた合成樹脂製ブラケットの支軸部を金属製面格子周枠の内周側部材の軸孔に軸支していることから、泥棒が室内に侵入するためにバールなどの工具を使ってルーバーを破壊しようとした場合には、合成樹脂製の支軸部が極めて短時間で簡単に折れて、泥棒の室内侵入を容易にするという危険性があった。
【０００４】
本発明は、上記のような課題に鑑み、泥棒が室内に侵入するためにバールなどの工具を使ってルーバーを破壊しようとする時、そのルーバーが簡単容易に破壊することがなく、防犯性能を高めることができる可動ルーバー面格子を提供することを目的とする。
【課題を解決するための手段】
【０００５】
上記課題を解決するための手段を、後述する実施形態の参照符号を付して説明すると、請求項１に係る発明は、面格子周枠４内に夫々中空状の横長又は縦長の多数のルーバー５を連動開閉可能に配設してなる可動ルーバー面格子において、
各ルーバー５にルーバー５よりも長さの長い金属製補強軸体９をルーバー５の回転軸線Ｇに沿って一体回転可能に貫通させ、この補強軸体９の両端部９ａ，９ａを、面格子周枠４の内周側部材１ｂ，１ｂに設けた軸孔１０，１０から夫々突出させると共に、軸受部材１１，１１を介して軸孔１０，１０に回転可能に軸支し、その軸孔１０，１０から突出した補強軸体９の突出端部９ａ，９ａにクランクアーム１２，１２を取り付け、各クランクアーム１２を連杆１４によって枢支連結してなることを特徴とする。
【０００６】
請求項２は、請求項１に記載の可動ルーバー面格子において、補強軸体９は中空状体又は中実状体からなることを特徴とする。
【０００７】
請求項３は、請求項１又は２に記載の可動ルーバー面格子において、補強軸体９は横断面が角形状又は円形状を成していることを特徴とする。
【発明の効果】
【０００８】
上記解決手段による発明の効果を、後述する実施形態の参照符号を付して説明すると、請求項１に係る発明の可動ルーバー面格子は、ルーバー５を貫通する金属製補強軸体９の両端部９ａ，９ａが軸受部材１１，１１を介して面格子周枠４の内周側部材１ｂ，１ｂに軸支されているから、泥棒が面格子から室内に侵入するためにバールなどの工具を使ってルーバー５を破壊しようとする時に、そのルーバー５の支軸部を例えば３〜５分の短時間で簡単容易に破壊することができず、そうこうしている間に泥棒はあきらめて逃げて行くか、そのうちに警報などによって駆けつけた警察官に捕まえられる、ということになり、従って可動ルーバー面格子の防犯性能を高めることができる。
【０００９】
請求項２に係る発明の可動ルーバー面格子のように、補強軸体９は、中空状体からなるものでもよいし中実状体からなるものでもよい。
【００１０】
請求項３に係る発明の可動ルーバー面格子のように、補強軸体９は、横断面形状が角形状でもよいし円形状でもよい。
【発明を実施するための最良の形態】
【００１１】
以下に本発明の好適な一実施形態を図面に基づいて説明すると、図１は本発明に係る可動ルーバー面格子の閉じた状態での正面図、図２は図１のＸ−Ｘ線拡大断面図、図３は図１のＹ−Ｙ線拡大断面図、図４は図１のＺ−Ｚ線拡大断面図である。ここに示す可動ルーバー面格子は、建物躯体の窓開口部（図示せず）の室外側に設置されるもので、左右縦枠１，１と上下横枠２，３とからなる面格子周枠４を有し、この面格子周枠４内に、水平に延びる横長のルーバー５が上下多段状に配設されている。
【００１２】
面格子周枠４の左右各縦枠１は、図４に示すように、横断面コ字状の縦枠本体１ａと、この縦枠本体１ａの開口部を塞ぐ内周側部材１ｂとからなるもので、内周側部材１ｂには両側端部に係嵌凹部ａ，ａが設けてあって、両係嵌凹部ａ，ａが、縦枠本体１ａの開口部の両側に設けられた係嵌凸部ｂ，ｂに係嵌されるようになっている。また、この内周側部材１ｂには長さ方向一定間隔おきに軸孔１０が設けられている。
【００１３】
各ルーバー５は、図２及び図６の(a) に示すように、横断面が略楕円形の中空状に形成されたアルミニウム合金の押出形材からなるもので、その中空部内には、下記角筒状補強軸体９の四隅の夫々外隅部に係合する係合凹部７が形成されている。また各ルーバー５の両側端部には開口部の向きが互いに逆向きの係嵌溝部８，８が形成されていて、図２の実線図示のようにルーバー５が閉じた時に隣り合うルーバー５，５の対向する係嵌溝部８，８どうしが係嵌し合うようになっている。
【００１４】
各ルーバー５には、図４に示すように、ルーバー５よりも長い金属製の補強軸体９が、ルーバー５の回転軸線Ｇに沿って一体回転可能に貫通され、この補強軸体９の両端部９ａ，９ａは、面格子周枠４を構成する縦枠１，１の内周側部材１ｂ，１ｂに設けてある軸孔１０，１０から夫々突出していると共に、軸受部材１１，１１を介して軸孔１０，１０に夫々回転可能に軸支され、その軸孔１０，１０から突出した補強軸体９の突出端部９ａ，９ａには、クランクアーム１２，１２が夫々取付部材１３，１３を介して取り付けられ、各クランクアーム１２は連杆１４によって枢支連結されている。
【００１５】
補強軸体９は、鋼製又はステンレス製で横断面が正方形の角形管からなるもので、図４に示すように、ルーバー５の長さＬ05よりも長い長さＬ09を有する。各軸受部材１１は、耐摩耗性及び摺動性に優れた合成樹脂によって形成されている。クランクアーム１２及び取付部材１３は、前記軸受部材１１と同じような合成樹脂によって形成され、連杆１４は鋼板又はステンレス板によって形成される。
【００１６】
前記取付部材１３は、図５の(a) 及び(c) に示すように、その一端面側に、補強軸体９の端部内に嵌合する嵌合突起部１３ａと補強軸体９の端部９ａを受け入れる環状の受入溝部１３ｂとを有し、他端面側に短四角柱状の嵌合凸部１３ｃを有し、そして中心軸線に沿って両端面を貫くネジ孔１３ｄを有する。
【００１７】
前記クランクアーム１２も、図５の(a) 及び(c) に示すように、一端面側には、取付部材１３の短四角柱状の嵌合凸部１３ｃが嵌合する嵌合凹部１２ａを有し、他端面側には、ネジ具１６を挿入する挿通部１２ｂが嵌合凹部１２ａと同軸状に形成されると共に、ネジ具挿通部１２ｂの下方側に連杆取付用突起１５が突設され、この突起１５には係止ヘッド１５ａ及び割溝１５ｂが形成されている。
【００１８】
面格子周枠４の縦枠１に対するルーバー５の取付け、このルーバー５を貫通する補強軸体９の取付け、及びこの補強軸体９に対するクランクアーム１２の取付けについて図５の(a) 〜(c) を参照して説明すると、先ず、左右各縦枠１の内周側部材１ｂに設けてある各軸孔１０に軸受部材１１を同図の(a) に示すように嵌合しておき、また各ルーバー５には補強軸体９を貫通させて、その両端部９ａ，９ａをルーバー５の両端から夫々突出させておく。
【００１９】
ルーバー５の両端から夫々突出させた補強軸体９の端部９ａを、左右各縦枠１の内周側部材１ｂに取り付けた軸受部材１１に対しその内側から挿通させて外側へ突出させ、その突出端部９ａに取付部材１３を取り付ける。即ち、取付部材１３の嵌合凸部１３ｃを補強軸体９の端部９ａ内に嵌合させると共に、補強軸体９の端部９ａを取付部材１３の環状受入溝部１３ｂに強く押し込むことによって、取付部材１３を補強軸体９の端部９ａに夫々取り付ける。
【００２０】
その後、クランクアーム１２の嵌合凹部１２ａを取付部材１３の嵌合凸部１３ｃに対し嵌合し、ネジ具１６をクランクアーム１２のネジ具挿通部１２ｂから取付部材１３のネジ孔１３ｄにねじ込んで締め付けることによって、クランクアーム１２を取付部材１３に固定する。
【００２１】
上記のように左右各縦枠１の内周側部材１ｂに取り付けた軸受部材１１から突出させた補強軸体９の突出端部９ａに取付部材１３を介してクランクアーム１２を取り付けた後、連杆１４に長さ方向一定間隔おきに設けてある取付孔１４ａ（長孔）を各クランクアーム１２の連杆取付用突起１５に嵌め込む。この場合、突起１５には係止ヘッド１５ａに割溝１５ｂが形成してあるから、この割溝１５ｂを介して係止ヘッド１５ａを縮径した状態で取付孔１４ａを突起１５に嵌め込めばよい。
【００２２】
上記のようにして面格子周枠４内に多段状に配設した多数のルーバー５を開閉操作するには、図示は省略するが、多数のルーバー５の何れか一つに取り付けてある開閉操作用のハンドルを操作することによって、全てのルーバー５を一斉に開閉させることができる。図２には全てのルーバー５が閉鎖した状態を実線で示し、開放した状態を仮想線で示す。閉鎖状態では、隣り合うルーバー５，５の対向する係嵌溝部８，８どうしが係嵌し合っている。
【００２３】
以上説明したように、この可動ルーバー面格子は、各ルーバー５に、ルーバー５よりも長い横断面正方形の角形管からなる金属製の補強軸体９をルーバー５の回転軸線Ｇに沿って一体回転可能に貫通させ、この補強軸体９の両端部９ａ，９ａを、面格子周枠４の内周側部材４ａに設けた軸孔１０から夫々突出させると共に、軸受部材１１を介して軸孔１０に回転可能に軸支し、その軸孔１０から突出した補強軸体９の突出端部９ａにクランクアーム１２を取り付け、各クランクアーム１２を連杆１４により枢支連結してなるもので、図４からも分かるように、ルーバー５を貫通する金属製補強軸体９の両端部９ａ，９ａが軸受部材１１，１１を介して面格子周枠４の内周側部材４ａに軸支されているから、泥棒が面格子から室内に侵入するためにバールなどの工具を使ってルーバー５を破壊しようとしても、そのルーバー５の支軸部を例えば３〜５分の短時間で簡単容易に破壊することができず、そうこうしている間に、泥棒は、あきらめて逃げて行くか、そのうち警報などによって駆けつけた警察官に捕まえられることになる。
【００２４】
上記実施形態の説明では、補強軸体９として、図６の(a) に示すような鋼製又はステンレス製で横断面が正方形の角形管からなる補強軸体９ａを使用したが、本発明に係る補強軸体９としては、横断面が正方形の角形管以外に、図６の(b) に示すような横断面が正方形で中実状の補強軸体９ｂでもよいし、あるいは同図の(c) に示すような円管状の補強軸体９ｃでもよく、また同図の(d) に示すような横断面が円形で中実状の補強軸体９ｄでもよい。
【００２５】
尚、図６の(a) 及び(b) に示す補強軸体９ａ，９ｂのように、補強軸体９の横断面が四角角形である場合は、ルーバー５の中空部内に設けた係合凹部７を角形補強軸体９の四隅の夫々外隅部に係合させて、ルーバー５内に補強軸体９を回転不能に保持することができるが、図６の(c) 及び(d) に示す補強軸体９ｃ，９ｄのように、補強軸体９の横断面が円形である場合は、そのままでは補強軸体９を回転不能に保持できないため、(c) 及び(d) に示すように、各補強軸体９ｃ，９ｄの外周面の夫々少なくとも２箇所に係合凹条部１７を設けると共に、この凹溝条１７に係合する係合凸条部１８をルーバー５の中空部内に設け、それによって補強軸体９ｃ，９ｄをルーバー５内に回転不能に保持するようにしている。
【００２６】
また、上記実施形態では、面格子周枠４内に夫々横長の多数のルーバー５を連動開閉可能に配設した可動ルーバー面格子について説明したが、本発明は、面格子周枠４内に夫々縦長の多数のルーバー５を連動開閉可能に配設した可動ルーバー面格子にも適用されるものである。
【図面の簡単な説明】
【００２７】
【図１】本発明に係る可動ルーバー面格子の閉じた状態での正面図である。
【図２】図１のＸ−Ｘ線拡大断面図である。
【図３】図１のＹ−Ｙ線拡大断面図である。
【図４】図１のＺ−Ｚ線拡大断面図である。
【図５】(a) はルーバーの端部の取付構造を示す拡大詳細断面図、(b) は(a) のＶ−Ｖ線断面図、(c) は(a) に示す取付構造の分解図である。
【図６】(a) 〜(d) は補強軸体の種々の使用形態を示す断面図である。
【符号の説明】
【００２８】
１            面格子周枠の左右縦枠
２            面格子周枠の上横枠
３            面格子周枠の下横枠
４            面格子周枠
５            ルーバー
９            補強軸体
１０          軸孔
１１          軸受部材
１２          クランクアーム
１４          連杆
【図１】
2009046868.tif 000003
【図２】
2009046868.tif 000004
【図３】
2009046868.tif 000005
【図４】
2009046868.tif 000006
【図５】
2009046868.tif 000007
【図６】
2009046868.tif 000008